(57)【特許請求の範囲】
【請求項１】
複数台のかごを一群として管理する群管理装置を有し、乗場に行先ボタンと割当かご表示灯からなる乗場行先階ボタン盤を設置し、上記行先ボタンの操作により行先呼びが登録されると、この行先ボタンに内蔵する行先ボタン灯を点灯し、これに応答する割当かごを決定して、この割当かごを上記割当かご表示灯に表示する装置において、
上記群管理装置の故障又は上記群管理装置との通信異常を検出すると動作する異常検出手段と、
上記異常検出手段が動作すると、上記乗場行先階ボタン盤の設置階に対して操作された行先ボタンの示す階と同じ方向にあるすべての階に対応した行先ボタンの行先ボタン灯を点灯するとともに、上記操作された行先ボタンの示す階と同じ方向にあるすべての階に対応した行先ボタンに対する割当かご表示灯に、上記行先ボタンの示す階が上記乗場行先階ボタン盤の設置階に対してどちらの方向にあるかを示す矢印を表示する異常表示手段と
を備えたことを特徴とする群管理エレベーターの乗場表示装置。
【請求項２】
複数台のかごを一群として管理する群管理装置を有し、乗場に行先ボタンと割当かご表示灯からなる乗場行先階ボタン盤を設置し、上記行先ボタンの操作により行先呼びが登録されると、この行先ボタンに内蔵する行先ボタン灯を点灯し、これに応答する割当かごを決定して、この割当かごを上記割当かご表示灯に表示する装置において、
上記群管理装置の故障又は上記群管理装置との通信異常を検出すると動作する異常検出手段と、
上記異常検出手段が動作すると、操作された行先ボタンの行先ボタン灯を点灯するとともに、上記操作された行先ボタンに対する割当かご表示灯に、上記行先ボタンの示す階が上記乗場行先階ボタン盤の設置階に対してどちらの方向にあるかを示す矢印を表示する異常表示手段と
を備えたことを特徴とする群管理エレベーターの乗場表示装置。
【請求項３】
複数台のかごを一群として管理する群管理装置を有し、１階の乗場に行先ボタンと割当かご表示灯からなる乗場行先階ボタン盤を設置し、上記行先ボタンの操作により行先呼びが登録されると、この行先ボタンに内蔵する行先ボタン灯を点灯し、これに応答する割当かごを決定して、この割当かごを上記割当かご表示灯に表示する装置において、
上記群管理装置の故障又は上記群管理装置との通信異常を検出すると動作する異常検出手段と、
上記乗場行先階ボタン盤の地下階の行先ボタンが操作され、かつ上記異常検出手段が動作すると、すべての地下階の行先ボタン灯を点灯するとともに、上記すべての地下階の行先ボタンに対する割当かご表示灯に、下方を示す矢印を表示する異常表示手段と
を備えたことを特徴とする群管理エレベーターの乗場表示装置。
【発明の詳細な説明】
【０００１】
【発明の属する技術分野】
この発明は、乗場に行先ボタンを設置した群管理エレベーターの割当かごを乗場に表示する装置に関するものである。
【０００２】
【従来の技術】
近年、複数台のかごを制御する群管理装置は、マイクロコンピュータの採用により、大量な情報の演算処理と高度な制御を実現することが可能になってきた。
【０００３】
さて、大規模なオフィスビルでは、発生する多くの乗客を効率よく行先階まで運ぶため、種々な提案がされている。特に、朝の出勤時間帯や昼の昼食時間帯のように、特定の階床からの乗客で混雑する場合には、その混雑を緩和するため、複数台のかごを配車することが実施されている。そのような場合、乗場に行先ボタンを設置すると、あらかじめ行先階が登録できるので、群管理に必要な情報を前もって入力することが可能となる。
【０００４】
群管理制御では、各かごの到着予想時間を演算して、その結果に基づいて割当かごを決定しているため、乗場に行先ボタンを設置することにより、早期に行先階が分かり、予測精度が上がり、乗場呼びの割当精度が向上する。同時に、待客がかごに乗車したときに、かご呼びを自動登録することにより、乗客の操作の手間を省き、輸送効率向上の有効な手段の一つとなっている。
【０００５】
ここで、乗場で行先ボタンを操作して、行先呼びが登録され、これに応答するかごを表示することが必要となる。例えば、特願平１１−８２２３３号には、行先ボタンに隣接して割当かご表示灯を設け、割当かごが決定すると、これを上記操作された行先ボタンに隣接した割当かご表示灯により表示することが提案されている。
【０００６】
【発明が解決しようとする課題】
上記のような従来の群管理エレベーターの乗場表示装置では、行先ボタンに隣接する割当かご表示灯の点灯によって、割当かごを表示しているため、待客に対して見やすいものとなっているが、群管理装置が故障したり、群管理装置と乗場との通信異常が発生したりした場合に、どのようなバックアップ動作がされるのかは不明であり、待客案内上支障が生じるのは避けられないという問題点がある。
【０００７】
この発明は上記問題点を解消するためになされたもので、群管理装置が故障したり、群管理装置との通信異常が発生したりした場合でも、乗場待客に最低限の案内をすることができるようにした群管理エレベーターの乗場表示装置を提供することを目的とする。
【０００８】
【課題を解決するための手段】
この発明の第１発明に係る群管理エレベーターの乗場表示装置は、乗場行先階ボタン盤に、行先ボタンと割当かご表示灯を設け、群管理装置の故障又は群管理装置との通信異常が検出されると、乗場行先階ボタン盤の設置階に対して操作された行先ボタンの示す階と同じ方向にあるすべての階に対応した行先ボタンの行先ボタン灯を点灯するとともに、操作された行先ボタンの示す階がある方向のすべての階に対応した行先ボタンに対する割当かご表示灯に、行先ボタンの示す階が乗場行先階ボタン盤の設置階に対してどちらの方向にあるかを示す矢印を表示するようにしたものである。
【００１０】
また、第２発明に係る群管理エレベーターの乗場表示装置は、乗場行先階ボタン盤に、行先ボタンと割当かご表示灯を設け、群管理装置の故障又は群管理装置との通信異常が検出されると、操作された行先ボタン灯を点灯するとともに、操作された行先ボタンに対する割当かご表示灯に、行先ボタンの示す階が乗場行先階ボタン盤の設置階に対してどちらの方向にあるかを示す矢印を表示するようにしたものである。
【００１１】
また、第３発明に係る群管理エレベーターの乗場表示装置は、１階の乗場行先階ボタン盤に、行先ボタンと割当かご表示灯を設け、乗場行先階ボタン盤の地下階の行先ボタンが操作され、かつ群管理装置の故障又は群管理装置との通信異常が検出されると、すべての地下階の行先ボタン灯を点灯するとともに、すべての地下階の行先ボタンに対する割当かご表示灯に、下方を示す矢印を表示するようにしたものである。
【００１２】
【発明の実施の形態】
実施の形態１．
図１〜図６はこの発明の第１〜第４発明の一実施の形態を示す図で、図１は全体構成図、図２は図１の乗場行先階ボタン盤の正面図、図３は平常時の乗場行先階ボタン盤の動作説明図、図４は群管理装置故障時の乗場行先階ボタン盤の動作説明図、図５は平常時の割当かご表示動作フローチャート、図６は群管理装置故障時の割当かご表示動作フローチャートであり、図中同一符号は同一部分を示す。
【００１３】
図１において、１は機械室に設置された群管理装置で、１Ａはエレベーター全般の運行を制御する運行制御手段、１Ｂは押された行先ボタンに対応する行先呼びを登録する乗場行先呼び登録手段、１Ｃは登録された行先ボタンに内蔵する行先ボタン灯を点灯する乗場行先ボタン灯点灯手段、１Ｄは登録された行先呼びに対する割当かごを選択する割当かご選択手段、１Ｅはかご内に行先呼びを自動登録するかご行先呼び自動登録手段、１Ｆはネットワーク伝送路２に接続され、群管理装置１と各号機制御装置３（後述）とのネットワーク通信をする通信手段である。
【００１４】
３は各エレベーターを運転制御する各号機制御装置で、３Ａは各号機をそれぞれ運転制御する各台制御手段、３Ｂは群管理装置１が故障した場合に、乗場呼びを登録する呼び登録手段、３Ｃは群管理装置１が故障した場合に、乗場行先ボタン灯を点灯するボタン灯点灯手段、３Ｄはネットワーク伝送路２に接続され、各号機制御装置３とネットワーク伝送路２との通信をする通信手段である。
【００１５】
４はネットワーク伝送路２に接続され、乗場行先階ボタン盤６（後述）とネットワーク伝送路２との通信をする通信手段、５は通信手段４に接続され乗場行先階ボタン盤６との通信・制御をする各乗場制御手段、６は乗場に設置された乗場行先階ボタン盤、７は通信手段３Ｄに接続され、各階乗場に設置された乗場ボタン、ホールランタン及び号機番号表示器（いずれも後述）と、各号機制御装置３との通信をする乗場ステーションである。
【００１６】
８は乗場ステーション７に接続され、乗場行先階ボタン盤６が設置されない一般階に設置され、上り及び下りボタンを有する乗場ボタン、９は乗場ステーション７に接続され、かごの予報・到着表示をするホールランタン、１０はホールランタン９の下部に設置され、該当かごが割り当てられた場合に、ホールランタン９に連動してかごの号機番号を表示する号機番号表示器である。
【００１７】
なお、乗場行先階ボタン盤６は混雑する特定階に設置してもよく、全階床に設置してもよい。また、群管理装置１内の各手段１Ａ〜１Ｆ及び各号機制御装置３内の各手段３Ａ〜３Ｄは、すべてマイクロコンピュータ内のソフトウエアによって構成されている。
【００１８】
図２は、１階に設置された乗場行先階ボタン盤６を示す。ここでは、１階〜９階までの９停止（主階床は１階）のビルを想定し、１階では２階から９階までの行先呼びが乗場から登録できるものとする。
図において、６Ａは乗場で行先呼びを登録するための行先ボタン、６Ｂは行先ボタン６Ａに内蔵され行先呼びの登録を表示する行先ボタン灯、６Ｃは登録された行先呼びごとに割当かごを表示する割当かご表示灯である。割当かご表示灯６Ｃはドット式ＬＥＤや液晶ディスプレイ等の表示器によって構成される。
【００１９】
次に、この実施の形態の動作を説明するが、それに先立って全体的な動作の概要を説明する。
乗場で行先ボタン６Ａが押されると行先呼びが登録され、押された行先ボタン６Ａに内蔵された行先ボタン灯６Ｂが点灯する。群管理装置１は直ちに上記行先呼びに応答するのに最適なかごを選択し、該当号機のホールランタン９を予報灯として点灯させるとともに、行先ボタン６Ａに隣接した割当かご表示灯６Ｃを表示する。なお、行先ボタン灯６Ｂの点灯を割当かご表示灯６Ｃの表示で兼用してもよい。
【００２０】
次に、乗場行先階ボタン盤６の動作を図３及び図４を参照して説明する。
Ａ  平常時の動作（図３）
図３（Ａ）は初期状態で、どの階の乗場呼びも登録されていない状態である。
図３（Ｂ）で４階の行先ボタン６Ａが押されて、行先呼びが登録されると、行先ボタン６Ａに内蔵された行先ボタン灯６Ｂが点灯する。また、この行先呼びにＡ号機が割り当てられたとすると、行先ボタン６Ａの横にある割当かご表示灯６Ｃに「Ａ」が表示される。
【００２１】
次に、図３（Ｃ）で６階の行先呼びが登録されて、更にＡ号機が割り当てられたとすると、図３（Ｂ）と同様にその横にある割当かご表示灯６Ｃに「Ａ」が表示される。そして、図３（Ｄ）で９階の行先呼びが登録されて、Ｂ号機が割り当てられたとすると、今度は割当かご表示灯６Ｃに「Ｂ」が表示される。更に、図３（Ｅ）でＡ号機が４階及び６階に到着すると、Ａ号機に割り当てられている４階及び６階の行先呼びは解除され、該当する割当かご表示灯６Ｃも消灯し、Ｂ号機に割り当てられている９階の行先呼びの登録だけが継続する。
【００２２】
そして、最後に図３（Ｆ）でＢ号機が９階に到着すると、Ｂ号機に割り当てられている９階の行先呼びは解除され、割当かご表示灯６Ｃも消灯する。
このようにして、乗場の待客は、乗場行先階ボタン盤６を見ることで、応答するかごが常時確認できる。
また、図３では最初に呼びを登録したとき、行先ボタン灯６Ｂが点灯するものとしたが、これを行先ボタン６Ａを押したとき、所定時間点滅させた後に点灯するようにしてもよい。
【００２３】
Ｂ  群管理故障時の動作（図４）
群管理装置１が故障し、かつ通信手段１Ｆがネットワーク伝送路２に対して支障を与えない状態にあり、通信手段３Ｄが群管理装置１との通信異常を検出した場合の乗場行先階ボタン盤６の動作を、複数例について説明する。
【００２４】
図４（Ａ）では、２階〜９階の行先ボタン６Ａの中でいずれか一つが押された場合、いずれのボタンも１階よりも上方のため、２階から９階のすべての行先ボタン灯６Ｂが点灯され、割当かご表示灯６Ｃには上り方向を示す矢印「↑」が表示される。これで、待客の１人が行先ボタン６Ａを操作すれば、後から乗場に到着した待客は行先ボタンを押す必要はなく、便利なものとすることが可能となる。
【００２５】
また、図４（Ｂ）では、２階〜９階までの行先ボタン６Ａの中で５階及び７階の行先ボタン６Ａが押された場合、押された行先ボタン６Ａの行先ボタン灯６Ｂが点灯され、これに該当する割当かご表示灯６Ｃだけ矢印「↑」が表示される。
これで、故障時でも平常時に近い表示形態となり、待客への親切な案内をすることが可能となる。
【００２６】
また、図４（Ｃ）では、地下階が存在する場合、行先ボタン６Ａの中でＢ２階とＢ１階のどちらか一つのボタンが押されると、Ｂ２階及びＢ１階の行先ボタン灯６Ｂが点灯され、割当かご表示灯６Ｃには下り方向を示す矢印「↓」が表示される。これで、地下階行きの待客の１人が行先ボタン６Ａを操作すれば、後から乗場に到着した待客は行先ボタン６Ａを押す必要はなく、便利なものとすることが可能となる。
【００２７】
また、図４（Ｄ）〜（Ｆ）では、矢印「↑」（又は「↓」）の代わりに矢印「▲」（又は「▼」）が表示される例である。
このようにして、群管理装置１が故障しても、乗場の割当かご表示灯６Ｃに通常とは異なる表示をするようにしているため、待客を混乱させることは大幅に減少する。
【００２８】
次に、平常時に、押された行先ボタン６Ａごとに割当かごを選択して表示する手順を図５を参照して説明する。
ステップＳ１で乗場行先階ボタン盤６の行先ボタン６Ａが押されると、ステップＳ２で乗場行先呼び登録手段１Ｂにより行先呼びを登録し、乗場行先ボタン点灯手段１Ｃにより、行先ボタン灯６Ｂを点灯する。ステップＳ３で割当かご選択手段１Ｄにより、行先呼びに応答する最適かごを選択する。
【００２９】
この場合、状況に応じて１台のかごが選択されることもあれば、複数台のかごが選択されることもある。また、登録された行先ボタン６Ａごとに割り当てられるかごは、呼びの発生状況に応じて可変であることはいうまでもない。次に、ステップＳ４で割当かごの番号を、行先ボタン６Ａに隣接する割当かご表示灯６Ｃに表示する。ステップＳ５で割当かごが到着したかを判定し、到着していなければステップＳ１へ戻ってステップＳ１からステップＳ５を繰り返す。この間行先ボタン灯６Ｂと、割当かご表示灯６Ｃは点灯を継続する。
【００３０】
そして、割当かごが到着すれば、ステップＳ６へ進み、該当する行先ボタン灯６Ｂと割当かご表示灯６Ｃを消灯する。最後に、ステップＳ７で待客の乗車を検出して、かご行先呼び自動登録手段１Ｅにより、かご内に行先呼びを自動登録する。
【００３１】
次に、群管理装置１が故障した場合のバックアップ動作を図６を参照して説明する。
ステップＳ１１で群管理装置１との通信が正常かを判定し、正常であればステップＳ１２で図５の手順に従ってかごを割り当てる。また、群管理装置１との通信が異常の場合は、ステップＳ１３へ進み各台制御手段３Ａがバックアップ運転を開始する。
【００３２】
ステップＳ１４で乗場の行先ボタン６Ａが押されると、ステップＳ１５で行先ボタン６Ａの各乗場制御手段５から上り／下りボタン信号に変換してネットワーク伝送路２へ送信する。ボタン灯点灯手段３Ｃはボタン灯点灯指令を各乗場制御手段５へ送信し、ステップＳ１６でこの点灯指令を受信すると、ステップＳ１７で各乗場制御手段５により、ステップＳ１４で押された行先ボタン６Ａが乗場行先ボタン盤６の設置階（ここでは１階）よりも上方階かを判定する。
【００３３】
上方階であれば、ステップＳ１８で該当する行先ボタン灯６Ｂを点灯し、割当かご表示灯６Ｃに矢印「↑」を表示する。また、下方階であればステップＳ１９で該当する行先ボタン灯６Ｂを点灯させ、割当かご表示灯６Ｃに矢印「↓」を表示する。
なお、行先ボタン６Ａが押されたときに、該当する方向の行先ボタン灯６Ｂ及び割当かご表示灯６Ｃをすべて点灯するものとしたが、押された行先ボタン６Ａだけ、行先ボタン灯６Ｂ及び割当かご表示灯６Ｃを点灯することも可能である。
【００３４】
ここで、ステップＳ１１は異常検出手段を、Ｓ１４〜Ｓ１９は異常表示手段を構成している。
なお、この実施の形態は、朝の出勤時間帯のように、混雑する時間帯だけに適用することも可能である。また、１日を通じて適用することも可能である。
【００３５】
【発明の効果】
以上説明したとおりこの発明の第１発明では、乗場行先階ボタン盤に、行先ボタンと割当かご表示灯を設け、群管理装置の故障又は、群管理装置との通信異常が検出されると、乗場行先階ボタン盤の設置階に対して操作された行先ボタンの示す階と同じ方向にあるすべての階に対応した行先ボタンの行先ボタン灯を点灯するとともに、操作された行先ボタンの示す階と同じ方向にあるすべての階に対応した行先ボタンに対する割当かご表示灯に、行先ボタンの示す階が乗場行先階ボタン盤の設置階に対してどちらの方向にあるかを示す矢印を表示するようにしたので、群管理装置が故障しても、最低限の案内をすることができ、待客を混乱させることを大幅に減少することができる。また、待客の１人が行先ボタンを操作すれば、後から乗場に到着した待客は行先ボタンを押す必要がなく、便利なものとすることができる。
【００３７】
また、第２発明では、乗場行先階ボタン盤に、行先ボタンと割当かご表示灯を設け、群管理装置の故障又は群管理装置との通信異常が検出されると、操作された行先ボタンの行先ボタン灯を点灯するとともに、操作された行先ボタンに対する割当かご表示灯に、行先ボタンの示す階が乗場行先階ボタン盤の設置階に対してどちらの方向にあるかを示す矢印を表示するようにしたので、故障時でも平常時に近い表示形態となり、待客への親切な案内をすることができる。
【００３８】
また、第３発明では、１階の乗場行先階ボタン盤に、行先ボタンと割当かご表示灯を設け、乗場行先階ボタン盤の地下階の行先ボタンが操作され、かつ群管理装置の故障又は群管理装置との通信異常が検出されると、すべての地下階の行先ボタン灯を点灯するとともに、すべての地下階の行先ボタンに対する割当かご表示灯に、下方を示す矢印を表示するようにしたので、地下階行きの待客の１人が行先ボタンを操作すれば、後から乗場に到着した待客は行先ボタンを押す必要がなく、便利なものとすることができる。
【図面の簡単な説明】
【図１】  この発明の実施の形態１を示す全体構成図。
【図２】  図１の乗場行先階ボタン盤の正面図。
【図３】  この発明の実施の形態１を示す平常時の乗場行先階ボタン盤の動作説明図。
【図４】  この発明の実施の形態１を示す群管理装置故障時の乗場行先階ボタン階の動作説明図。
【図５】  この発明の実施の形態１を示す平常時の割当かご表示動作フローチャート。
【図６】  この発明の実施の形態１を示す群管理装置故障時の割当かご表示動作フローチャート。
【符号の説明】
１  群管理装置、２  ネットワーク伝送路、３  各号機制御装置、４  通信手段、５  各乗場制御手段、６  乗場行先階ボタン盤、６Ａ  行先ボタン、６Ｂ  行先ボタン灯、６Ｃ  割当かご表示灯。
Ｓ１１  異常検出手段、Ｓ１４〜Ｓ１９  異常表示手段。
【図１】
0004554055.tif 000002
【図２】
0004554055.tif 000003
【図３】
0004554055.tif 000004
【図４】
0004554055.tif 000005
【図５】
0004554055.tif 000006
【図６】
0004554055.tif 000007